(57)【要約】【課題】本発明の目的は、サイドフェンスとエンドフェンスを給紙トレイの挿入操作と連動して自動的にロック可能な給紙トレイを提供することにある。【解決手段】本発明は画像形成装置１に対して挿入及び引き出し可能に装着される給紙トレイ２に関する。この給紙トレイ２は一対のサイドフェンス７ａ、７ｂとエンドフェンス８を有し、サイドフェンス７ａ、７ｂの移動とエンドフェンス８の移動を共にロックするロック手段（レバー２４、３０等）を有する。当該ロック手段はトレイ挿入時に自動的にロックされる。【選択図】図１
2013079142.tif 000002
【特許請求の範囲】
【請求項１】
画像形成装置に対して挿入及び引き出し可能に装着される給紙トレイであって、
用紙搬送基準から互いに等しい距離を保って給紙方向と直交する方向に移動可能に設けられ、トレイに収納する収納用紙の幅方向両側を規制するための一対のサイドフェンスと、
前記一対のサイドフェンスの相互間片側において給紙方向に向かって前後に移動可能に設けられ、トレイに収納する収納用紙の端部を規制するためのエンドフェンスと、
前記一対のサイドフェンスの少なくとも一方の移動と前記エンドフェンスの移動を共にロックするロック手段とを設け、
前記ロック手段がトレイ挿入時に自動的にロックされることを特徴とする給紙トレイ。
【請求項２】
前記ロック手段がトレイ挿入時に自動的にロックされ、トレイ引き出し時に自動的にロック解除されることを特徴とする請求項１に記載の給紙トレイ。
【請求項３】
前記一対のサイドフェンスが互いの移動を相手側に伝達する連動機構で連結され、前記ロック手段が前記連動機構をロック又はロック解除することを特徴とする請求項２に記載の給紙トレイ。
【請求項４】
前記ロック手段は、トレイ引き出し時に、少なくとも前記一対のサイドフェンスのうち奥側サイドフェンスが装置本体から出る前にロック解除することを特徴とする請求項３に記載の給紙トレイ。
【請求項５】
前記ロック手段は、
前記一対のサイドフェンスと一体的に移動するサイドラックと、
前記エンドフェンスと一体的に移動するエンドラックと、
前記サイドラックと噛み合う第１歯車と、
前記エンドラックと噛み合う第２歯車と、
前記第１及び第２歯車の回転を阻止するロック位置と回転を許容するロック解除位置に移動可能なロック機構と、
前記ロック機構を、給紙トレイの挿入動作と連動してロック位置に移動させると共に、引き出し動作と連動してロック解除位置に移動させるトリガー部材と、
を有することを特徴とする請求項２から４のいずれか１に記載の給紙トレイ。
【請求項６】
前記トリガー部材は、前記第１歯車及び第２歯車に噛み合うロック歯を一端に形成したレバーを有することを特徴とする請求項５に記載の給紙トレイ。
【請求項７】
前記トリガー部材は、前記第１歯車及び第２歯車に一体的に連結された円盤の外周面に摩擦係合するブレーキ部材を一端に設けたレバーを有することを特徴とする請求項５に記載の給紙トレイ。
【請求項８】
請求項１から７のいずれか１に記載の給紙トレイを有することを特徴とする画像形成装置。
【発明の詳細な説明】
【技術分野】
【０００１】
本発明は、複写機、プリンタ、ファクシミリ等の画像形成装置に装着される給紙トレイ及び当該給紙トレイを有する画像形成装置に関するものである。
【背景技術】
【０００２】
複写機、プリンタ、ファクシミリ等の画像形成装置は、省スペースの観点から、給紙トレイを用紙搬送方向と直交する方向に引き出し可能に装置本体下部に装着した、所謂フロントローディング型が主流となっている。給紙トレイは異なる用紙サイズに対応できるようにされたものが多く、一般的には、用紙の幅方向（用紙搬送方向と直交する方向）の両側位置を規制する前後一対の（装置手前側と奥側の）サイドフェンスと、用紙後端（用紙搬送方向の後端）位置を規制するエンドフェンスとが移動可能に配置されている。
【０００３】
このように、用紙の三方に配置された３つのフェンスによって、用紙の位置決め、給紙トレイを閉めたときの衝撃による用紙の位置ずれ防止、及び給紙時のスキュー防止が図られるようになっている。そして用紙の最上面の一枚が順次搬送方向に給紙されるようになっている。
【０００４】
用紙を給紙トレイにセットする場合、まず奥側サイドフェンスに用紙の一側面を当接させた後、反対側側面及び端面を手前側サイドフェンス及びエンドフェンスに当接させる。この場合、用紙サイズは各種のものがあるため、当該サイドに合わせて奥側サイドフェンス、手前側サイドフェンス及びエンドフェンスを移動させ所定位置にロックする。
【０００５】
手前側サイドフェンス及びエンドフェンスを移動可能に構成した給紙トレイは各種提案されている。例えば、用紙をその中央の用紙搬送基準で搬送する画像形成装置においては、装置手前側と奥側の各サイドフェンスにラックを有する水平延出部材を設け、両サイドフェンスのラックをピニオンギヤに噛み合わせることにより、一対のサイドフェンスが用紙搬送基準から互いに等しい距離を保って移動するようにした給紙トレイが知られている。このような給紙トレイは操作性が良好なことから広く利用されており、なかでも、所定の位置でサイドフェンスが動かないように、互いに係合するロック用の突起群及び溝群で構成するロック手段を設けたものが普及している。
【０００６】
特許文献１、２には、給紙トレイ挿入時の慣性力によるガイドフェンスと収納用紙のずれを抑え、かつユーザ操作を増やさない目的で、給紙トレイ開閉時に自動的に奥側サイドフェンスがロックされる機構が開示されている。
【発明の概要】
【発明が解決しようとする課題】
【０００７】
特許文献１、２の給紙トレイは、サイドフェンスを自動的にロック及びロック解除するようになっているが、エンドフェンスにはこのような機構は設けられておらず、手動でロック及びロック解除しなければならない。
【０００８】
このため、エンドフェンスを移動させたいとき、ロック用の突起群と溝群を完全に離間させた状態でエンドフェンスをスライドさせなければならないが、突起群と溝群を完全には離間し切らない状態でスライドさせると、ロック用の突起群が溝群に突っ掛かってしまう。これではユーザが給紙トレイ内の用紙を異なるサイズの用紙に交換する際に不便であり、片手に用紙を抱えて反対側の手だけでエンドフェンスを操作する場合は尚更である。
【０００９】
一方、小型プリンタや複合機は給紙棚の段数が少なく、また手差し給紙ユニットがオプションの機種も多い。このため、給紙トレイ内の用紙の交換（用紙サイズの変更）の頻度が通常のプリンタよりも高い。つまり、小型プリンタや複合機のユーザにとってはエンドフェンスの操作性が悪いという問題があった。
【００１０】
本発明の目的は、サイドフェンスとエンドフェンスを、給紙トレイの少なくとも挿入操作と連動して自動的にロック可能な給紙トレイ、さらに望ましくは、挿入及び引き出し操作と連動して自動的にロック及びロック解除可能な給紙トレイを提供することにある。
【課題を解決するための手段】
【００１１】
前記課題を解決するため、本発明に係る給紙トレイは、画像形成装置に対して挿入及び引き出し可能に装着される給紙トレイであって、用紙搬送基準から互いに等しい距離を保って給紙方向と直交する方向に移動可能に設けられ、トレイに収納する収納用紙の幅方向両側を規制するための一対のサイドフェンスと、前記一対のサイドフェンスの相互間片側において給紙方向に向かって前後に移動可能に設けられ、トレイに収納する収納用紙の端部を規制するためのエンドフェンスと、前記一対のサイドフェンスの少なくとも一方の移動と前記エンドフェンスの移動を共にロックするロック手段とを設け、前記ロック手段がトレイ挿入時に自動的にロックされることを特徴とする。
【発明の効果】
【００１２】
本発明によれば、給紙トレイの挿入操作と連動して少なくとも一方のサイドフェンスとエンドフェンスが自動的にロックされるので、ユーザは給紙トレイ内の用紙の補充・交換をして給紙トレイを装置本体に挿入する時にこれらフェンスを手動でロックすることなく給紙トレイをそのまま挿入することでフェンスを自動的にロックすることができる。
【図面の簡単な説明】
【００１３】
【図１】画像形成装置から引き出した状態で示す、本発明の一実施形態の給紙トレイの平面図である。
【図２】図１の給紙トレイの要部拡大平面図である。
【図３】（ａ）は図２の歯車部分の平面図、（ｂ）は同側面図である。
【図４】（ａ）（ｂ）は本発明の変形例を示す図３（ａ）（ｂ）と同様の図である。
【発明を実施するための形態】
【００１４】
以下、図を参照して本発明の一実施形態を説明する。図１は複写機、プリンタ、ファクシミリ等の画像形成装置１から引き出した状態の給紙トレイ２の平面図を示している。画像形成装置１の内部には、その最下部にトレイ収納棚３が設けられている。このトレイ収納棚３の手前側にトレイ挿入口４が配置され、このトレイ挿入口４に給紙トレイ２を挿入したりトレイ挿入口４から引き出したりするようにしている。
【００１５】
トレイ収納棚３の片側内側面には、トリガー部材としての直線状のトリガーレール５が前後方向に配設されている。このトリガーレール５によって、後述する給紙トレイ２のロック機構がロック作動するようになっている。
【００１６】
給紙トレイ２は前面に取手２ａを有し、またトレイの箱状筐体の底部にトレイ基板２ｂを配置している。トレイ基板２ｂの上方に所定の隙間を明けて収納用紙を支える受け板が水平に配置されるが、図１では内部構造を示すためにこの受け板を省略している。
【００１７】
トレイ基板２ｂの上に、用紙搬送基準Ｓから互いに等しい距離を保って給紙方向と直交する方向に移動可能な手前側サイドフェンス７ａと奥側サイドフェンス７ｂが設けられている。これらサイドフェンス７ａ、７ｂは、トレイ２に収納する用紙の幅方向両側を規制するためのものである。
【００１８】
また、用紙搬送基準Ｓの延長線方向であって、サイドフェンス７ａ、７ｂの相互間の後方側（図１で左側）に、用紙搬送方向に沿って移動可能なエンドフェンス８が設けられている。このエンドフェンス８は、トレイ２に収納する用紙の端部を規制するためのものである。
【００１９】
トレイ基板２ｂの上に、合計５本のガイドレール９ａ〜９ｃ、１０ａ〜１０ｂが前後方向及び左右方向に設けられている。そして前後方向の３本のガイドレール９ａ〜９ｃによって、サイドフェンス７ａ、７ｂが前後方向に案内されるようになっている。また、左右方向の２本のガイドレール１０ａ、１０ｂによって、エンドフェンス８が左右方向に案内されるようになっている。
【００２０】
前後方向の２本のガイドレール９ａ、９ｂに、サイドラック１１ａ、１１ｂが摺動自在に設けられ、一方のサイドラック１１ａが手前側サイドフェンス７ａの一端部と連結され、他方のサイドラック１１ｂが奥側サイドフェンス７ｂの一端部と連結されている。各サイドフェンス７ａ、７ｂの反対側の端部は、サイドラックが設けられていない残り１本のガイドレール９ｃに摺動自在に支持されている。
【００２１】
また、左右方向のガイドレール１０ａにエンドラック１２が摺動自在に取り付けられ、このエンドラック１２にエンドフェンス８の一端部が連結されている。エンドフェンス８の反対側の端部は、ガイドレール１０ｂに摺動自在に支持されている。
【００２２】
トレイ基板２ｂのほぼ中央に支軸２０が垂直に設けられ、この支軸２０に相互独立に回転する２つの第１歯車２１と第２歯車２２が回転自在に取り付けられている。そして下側の第１歯車２１に対して、一対のサイドフェンス７ａ、７ｂと連結された２つのサイドラック１１ａ、１１ｂが噛み合い、上側の第２歯車２２に対して、エンドフェンス８に連結された１つのサイドラック１１ｂが噛み合っている。
【００２３】
歯車２１、２２の近傍のトレイ基板２ｂの上面に、図２に示すように支軸２３が垂直に設けられ、この支軸２３に、サイドフェンス７ａ、７ｂとエンドフェンス８の移動をロックするロック手段を構成する第１レバー２４の中間部分が回動自在に取り付けられている。第１レバー２４の一端には図３に示すようにいくつかのロック歯２５が設けられ、第１レバー２４が時計方向に回動すると、このロック歯２５が歯車２１、２２に同時に噛み合うようになっている。
【００２４】
第１レバー２４の端部には、トレイ基板２ｂに固定的に設けたバネ止め２６との間に第１引張バネ２７が掛け渡されている。また、バネ止め２６の近傍のトレイ基板２ｂ上にストッパ１４が固定されている。第１レバー２４の反対側の端部は、第２引張バネ２８に連結されている。この第２引張バネ２８は、給紙トレイ２の右端に配置された第２レバー３０に連結されている。
【００２５】
第２レバー３０は、第１レバー２４と共に、サイドフェンス７ａ、７ｂとエンドフェンス８の移動をロックするロック手段を構成するもので、外側レバー部３０ａと内側レバー部３０ｂを有する。外側レバー部３０ａと内側レバー部３０ｂとが屈曲状態で連結された連結部分が、トレイ基板２ｂに固定された支軸２９によって回動自在に支持されている。そして内側レバー部３０ｂの先端に前記第２引張バネ２８が連結されている。この第２引張バネ２８の力によって第２レバー３０は常時反時計方向に付勢され、その反時計方向の回動位置がトレイ基板２ｂに固定されたストッパ３１によって規制されるようになっている。
【００２６】
給紙トレイ２は以上のように構成され、図１、図２のように給紙トレイ２を装置本体１ａから引き出した状態では、第１引張バネ２７による第１レバー２４の反時計方向の回転モーメントが、第２引張バネ２８による時計方向の回転モーメントを上回っている。バネ２７と２８の強度及びレバー２４の支軸２３の位置は、前記回転モーメントの大小関係が成立するように設定してある。このため、第１レバー２４はストッパ１４に当接して停止している。
【００２７】
この状態で、手前側サイドフェンス７ａと奥側サイドフェンス７ｂの間の不図示の受け板上に積層状態の用紙が載置される。このように載置された用紙の前後両側は、手前側サイドフェンス７ａと奥側サイドフェンス７ｂによって位置規制される。また用紙の後端側はエンドフェンス８によって位置規制される。手前側サイドフェンス７ａと奥側サイドフェンス７ｂは、それぞれのサイドラック１１ａ、１１ｂが共通の下側歯車２２に噛み合っているので、サイドフェンス７ａ、７ｂを用紙幅に合わせる時に両サイドフェンスが用紙搬送基準Ｓから互いに等しい距離を保って移動するので操作性が良好である。
【００２８】
このように給紙トレイ２に用紙を収納した後、給紙トレイ２の取手２ａを手で持ってトレイ挿入口４からトレイ収納棚３に向けて給紙トレイ２を挿入・セットする。また、用紙を補充・交換する場合は取手２ａを持ってトレイ収納棚３内の給紙トレイ２を手前側に引き出す。従来の給紙トレイは手前側サイドフェンス７ａと奥側サイドフェンス７ｂが自動でロックないしロック解除するものがあったが、エンドフェンス８は必ず手動でロックないしロック解除しなければならなかった。
【００２９】
本発明の実施形態では、手前側サイドフェンス７ａと奥側サイドフェンス７ｂだけでなく、エンドフェンス８も含めた３方全てのフェンスを給紙トレイ２の挿入及び引き出し操作と連動して自動的にロック及びロック解除するようにしている。
【００３０】
前述のように、給紙トレイ２をトレイ挿入口４から外側に引き出した状態では第１引張バネ２７の力が優勢であり、この第１引張バネ２７の引張力によって第１レバー２４が反時計方向に回動してストッパ１４に当接している。このように第１レバー２４がストッパ１４に当接した状態では、そのロック歯２５が上下の歯車２１、２２から離間して歯車２１、２２が回転自在である。このため、サイドフェンス７ａ、７ｂとエンドフェンス８はそれぞれガイドレール９ａ〜９ｃ、１０ａ〜１０ｂに沿って自由に移動可能な状態となっている。この状態で用紙の両側部と端部の三辺を三方のフェンスに正しく合わせて位置決めする。
【００３１】
次に、取手２ａを手で持って給紙トレイ２をトレイ挿入口４に向けて図の矢印方向に挿入する。この挿入動作により、第２レバー３０の外側レバー部３０ａの先端が、トリガーレール５の前端のレール端５ａに当接し、これによって第２レバー３０が図２の破線で示すように第２引張バネ２８に抗して時計方向に回動する。
【００３２】
そして第２レバー３０がトレイ収納棚３内にあってその外側レバー部３０ａがトリガーレール５に摺動自在に当接している間は、第２レバー３０が図示する破線の回動位置に保持される。この結果、第２引張バネ２８が内側レバー部３０ｂに引っ張られ、第１引張バネ２７の引張力による第１レバー２４の反時計方向の回転モーメントよりも、第２引張バネ２８による時計方向の回転モーメントが勝り、第１レバー２４が支軸２３を中心として時計方向に回動し、その一端のロック歯２５が歯車２１、２２の外周に同時に噛み合う。
【００３３】
これにより、上下の歯車２１、２２の回転が拘束され、以後、ガイドレール９ａ〜９ｃ、１０ａ〜１０ｂに沿ったサイドラック１１ａ、１１ｂ、１２の移動、ひいてはサイドフェンス７ａ、７ｂとエンドフェンス８の移動がロックされる。従って、給紙トレイ２をトレイ収納棚３内の所定位置にセットする途中で、トレイ２上の用紙がサイドフェンス７ａ、７ｂとエンドフェンス８によって確実に位置決めされ、横レジストずれやスキューを防止する。
【００３４】
特に、給紙トレイ２をトレイ収納棚３の奥まで挿入して給紙トレイ２が停止した時、用紙がその移動慣性によって奥側サイドフェンス７ｂを押圧しても、奥側サイドフェンス７ｂは既に移動がロックされた状態になっているのでその位置がずれることがない。
【００３５】
次に、用紙を補充・交換等のため給紙トレイ２を引き出すと、第２レバー３０の外側レバー部３０ａがトリガーレール５と摺動しながらレール端５ａの方向に移動する。そして外側レバー部３０ａの先端がレール端５ａから出た途端に、第２レバー３０が第２引張バネ２８の力で図２の実線のように反時計方向に回動し、第２引張バネ２８の引張力が低下する。
【００３６】
この結果、第１引張バネ２７の引張力が再び優勢になり、第１レバー２４を元のように歯車２１、２２から離間した図２の実線位置に復帰させる。これにより、再びサイドフェンス７ａ、７ｂとエンドフェンス８が移動自在となり、ユーザはサイドフェンス７ａ、７ｂとエンドフェンス８を所望の位置に移動させて用紙の補充・交換を行うことができる。
【００３７】
この実施形態では、前述のように、第２レバー３０の外側レバー部３０ｂがトリガーレール５のレール端５ａから出た直後にサイドフェンス７ａ、７ｂとエンドフェンス８が移動自在になる。外側レバー部３０ｂがレール端５ａから出た直後は、奥側サイドフェンス７ｂはまだトレイ収納棚３の内にあるが、奥側サイドフェンス７ｂが装置本体１ａより出始めるところまで給紙トレイ２を引き出せば直ちに用紙交換等を行なうことが可能である。従って、用紙セットに必要な最低量だけ給紙トレイ２を引き出せばよく、トレイの引出量を少なくし、給紙トレイ２の操作のためのスペースを節約することができる。
【００３８】
このように、給紙トレイ２のサイドフェンス７ａ、７ｂとエンドフェンス８の移動をガイドする機構を利用してこれら三方のフェンスの移動のロック機構を構成しているので、給紙トレイ２の構造を複雑化せずに安価にロック機構を構成することができる。なお、三方のフェンスのガイド機構とは別に、これらフェンスの移動をロックするための専用ロック機構をまったく独立的に構成してもよいことは勿論である。
【００３９】
以上、本発明の一実施形態について説明したが、本発明は前記実施形態に限定されることなく、特許請求の範囲に記載した範囲内において、さらに異なる種々の変形例を含むものである。
【００４０】
例えば前記実施形態では歯車２１、２２に第１レバー２４のロック歯２５を噛み合わせてこれら歯車２１、２２の回転をロックするようにしたが、図４のように各歯車２１、２２に円盤４０、４１を一体連結し、これら円盤４０、４１の外周面に第１レバー２４の一端に設けた摩擦係数が高い例えばゴムなどで構成したブレーキ部材４２を摩擦係合させることにより、歯車２１、２２の回転をロックするようにしてもよい。
【００４１】
このようにブレーキ部材４２による摩擦係合で円盤４０、４１及び歯車２１、２２をロックすると、図３のロック機構に比べて歯車のかみ込み位置の制約がないので各フェンスをより正確な位置に位置決めロックすることができる。また、ブレーキ部材４２が円盤４０、４１に当接する際に騒音が発生しないので静粛性が向上し、また歯車２１、２２の寿命を延長することができる。
【００４２】
なお、大きなロックトルクを発生させるために、円盤４０、４１を図示例のように歯車２１、２２よりも大径にするのがよい。その他、ロック機構として同等の機能を有する様々な機構を採用可能であることは言うまでもない。
【００４３】
また、前記実施形態では給紙トレイ２をフロントローディング型としたが、サイドローディング型にすることも可能であり、このサイドローディング型では図１の装置本体１ａの左側から給紙トレイ２を挿入する。
【００４４】
また、前記実施形態では両方のサイドフェンス７ａ、７ｂを自動的にロック及びロック解除するようにしたが、手前側サイドフェンスは従来同様に手動でロックないしロック解除するようにしてもよい。こうすることで、給紙トレイ２を引き出して第２レバー３０の外側レバー部３０ａがトリガーレール５から外側に出て奥側サイドフェンス７ｂがロック解除されても、手前側サイドフェンス７ａはロックされた状態を維持することができる。
【００４５】
これにより、給紙トレイ２を完全に引き出して停止させ、その後手動で手前側サイドフェンス７ａをロック解除するまでは同サイドフェンス７ａの移動が規制されるので、収納用紙の手前側へのズレを防止することができる。このような手前側サイドフェンス７ａの独立したロックないしロック解除機構は、サイドラック１１ａに対して手前側サイドフェンス７ａを前後方向に一定距離だけ移動可能に設け、トレイ基板２ｂに設けたロック部材によって手前側サイドフェンス７ａを所望の位置でロックないしロック解除できるようにすればよい。
【００４６】
また、第２レバー３０とその支軸２９との間にワンウェイのダンパー機構を設け、給紙トレイ２を引き出した後の第２レバー３０の反時計方向の回動速度を低速化するようにしてもよい。すなわち、給紙トレイ２を引き出す時に、第２レバー３０の外側レバー部３０ａの先端がトリガーレール５のレール端５ａから出た途端に第２レバー３０が反時計方向に急速に回動し始めると、第１レバー２４が第１引張バネ２７の力で直ちに反時計方向に回動してサイドフェンス７ａ、７ｂとエンドフェンス８が直ちにロック解除される。しかし、給紙トレイ２に大量の用紙が残っていてその重量慣性が大きい場合は、給紙トレイ２を完全に引き出して停止させてからロックを解除する方が望ましい。
【００４７】
前記のようにダンパー機構を設けることにより、外側レバー部３０ｂがレール端５ａから出て暫くしてから第１レバー２４が反時計方向に回動し始めてサイドフェンス７ａ、７ｂとエンドフェンス８のロックが解除されるので、それまでに給紙トレイ２の引き出しを完了することにより、用紙の重量慣性で例えば手前側サイドフェンス７ａが位置ズレするのを防止することができる。このようなダンパー機構は、第２レバー３０ではなく第１レバー２４に設けてもよいし、或いはガイドレール９ａ、９ｂ、１０ａとサイドラック１１ａ、１１ｂ、１２との間に適度の摺動抵抗を発生させる機構を追加することによっても実質的に同様の作用効果が得られる。
【００４８】
また、第２レバー３０の外側レバー部３０ａの先端がレール端５ａから出た後に第２レバー３０が自動的に反時計方向に回動するのではなく、手動で例えば外側レバー部３０ａを一押ししない限り第２レバー３０が反時計方向に回動しない構造にしてもよい。この場合は、三方のフェンスを給紙トレイ２の挿入動作と連動して自動的にロックのみ行うが、ロック解除は第２レバー３０の手動操作により一括して行うことができるので、給紙トレイの操作性が向上する。
【００４９】
以上、給紙トレイを中心に説明し画像形成装置についての説明は簡略化したが、本発明は前記実施形態に代表される給紙トレイを備えた画像形成装置も含むものであり、このような給紙トレイを画像形成装置に備えることによって画像形成装置の利便性を高めることができる。
【符号の説明】
【００５０】
１    画像形成装置
２    給紙トレイ
３    トレイ収納棚
４    トレイ挿入口
５    トリガーレール（トリガー部材）
７ａ  手前側サイドフェンス
７ｂ  奥側サイドフェンス
８    エンドフェンス
９ａ〜９ｃ  ガイドレール
１０ａ〜１０ｂ    ガイドレール
１１ａ〜１１ｂ    サイドラック
１２  エンドラック
２１、２２  歯車
２４  第１レバー（ロック手段）
２５  ロック歯
２７  第１引張バネ
２８  第２引張バネ
３０  第２レバー（ロック手段）
４０、４１  円盤
４２  ブレーキ部材
【先行技術文献】
【特許文献】
【００５１】
【特許文献１】特許第３４１１１１９号公報
【特許文献２】特開２０１０−１８４７８８号公報
【図１】
2013079142.tif 000003
【図２】
2013079142.tif 000004
【図３】
2013079142.tif 000005
【図４】
2013079142.tif 000006